(57)【特許請求の範囲】
【請求項１】
進化型ノードＢ（ｅＮＢ）であって、
前記ｅＮＢとの通信を確立したユーザ装置（ＵＥ）の第１のカバレッジエンハンスメントレベル又は予め設定された最小カバレッジエンハンスメントレベルを提供するため、前記ｅＮＢを動作モードで動作させ、前記ｅＮＢに前記動作モードからディスカバリモードに定期的にスイッチさせる論理回路であって、前記ディスカバリモードは前記ｅＮＢとの通信を確立するＵＥの第２のカバレッジエンハンスメントレベルを提供する、論理回路と、
前記ｅＮＢが前記動作モードにある間は前記第１のカバレッジエンハンスメントレベルに関連する第１の繰り返しレベルで、また、前記ｅＮＢが前記ディスカバリモードにある間は前記第２のカバレッジエンハンスメントレベルに関連する第２の繰り返しレベルでダウンリンク送信を送信する送受信回路と、
を有し、
前記動作モードは更に、前記ｅＮＢとの通信を確立した更なるＵＥに関連する１つ以上の更なるカバレッジエンハンスメントレベルを提供し、前記論理回路は更に、前記ｅＮＢが前記動作モードにある間は前記ｅＮＢに前記第１のカバレッジエンハンスメントレベルと前記１つ以上の更なるカバレッジエンハンスメントレベルとの間で定期的にスイッチさせ、前記送受信回路は更に、前記ｅＮＢが前記動作モードにある間は前記１つ以上の更なるカバレッジエンハンスメントレベルにそれぞれ関連する１つ以上の更なる繰り返しレベルでダウンリンク送信を送信するｅＮＢ。
【請求項２】
前記送受信回路は更に、少なくとも１つのＵＥに関連するカバレッジエンハンスメントレベルを特定する前記少なくとも１つのＵＥからのアップリンク送信を受信し、前記特定されたカバレッジエンハンスメントレベルは、前記第１のカバレッジエンハンスメントレベルより高い繰り返しレベルに関連し、
前記論理回路は更に、前記特定されたカバレッジエンハンスメントレベルに基づき前記動作モードを更新する、請求項１記載のｅＮＢ。
【請求項３】
前記ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、前記ブロードキャストメッセージは、システム情報メッセージ、ページングメッセージ又はランダムアクセスレスポンスメッセージを含む、請求項１又は２記載のｅＮＢ。
【請求項４】
前記ダウンリンク送信は、前記第１のカバレッジエンハンスメントレベルの１つ以上の識別子、又は前記ｅＮＢが前記動作モードにおいて動作する前記第１のカバレッジエンハンスメントレベルに関連する期間を含む、請求項１又は２記載のｅＮＢ。
【請求項５】
前記第２の繰り返しレベルは、２０デシベル（ｄＢ）までの最大カバレッジエンハンスメントレベルを実現するよう選択される、請求項１又は２記載のｅＮＢ。
【請求項６】
前記ｅＮＢに前記動作モードから前記ディスカバリモードに定期的にスイッチさせることは、予め設定された時間間隔又は予め設定された期間の少なくとも１つに基づく、請求項１又は２記載のｅＮＢ。
【請求項７】
進化型ノードＢを動作させる方法であって、
前記進化型ノードＢ（ｅＮＢ）が、前記ｅＮＢとの通信を確立したユーザ装置（ＵＥ）のための第１のカバレッジエンハンスメントレベル又は予め設定された最小カバレッジエンハンスメントレベルを提供するため、動作モードを開始するステップと、
前記ｅＮＢが、イベントの検出に応答して、前記動作モードからディスカバリモードにスイッチするステップであって、前記ディスカバリモードは前記ｅＮＢとの通信を確立するＵＥのための第２のカバレッジエンハンスメントレベルを提供する、スイッチするステップと、
前記ｅＮＢが、前記ｅＮＢが前記動作モードにある間は前記第１のカバレッジエンハンスメントレベルに関連する第１の繰り返しレベルで、また、前記ｅＮＢが前記ディスカバリモードにある間は前記第２のカバレッジエンハンスメントレベルに関連する第２の繰り返しレベルでダウンリンク送信を送信するステップと、
を有し、
前記動作モードは更に、前記ｅＮＢとの通信を確立した更なるＵＥに関連する１つ以上の更なるカバレッジエンハンスメントレベルを提供し、
前記方法は更に、
前記ｅＮＢが、前記ｅＮＢが前記動作モードにある間は前記第１のカバレッジエンハンスメントレベルと前記１つ以上の更なるカバレッジエンハンスメントレベルとの間で定期的にスイッチするステップと、
前記ｅＮＢが、前記ｅＮＢが前記動作モードにある間は前記１つ以上の更なるカバレッジエンハンスメントレベルにそれぞれ関連する１つ以上の更なる繰り返しレベルでダウンリンク送信を送信するステップと、
を有する方法。
【請求項８】
前記ｅＮＢが、少なくとも１つのＵＥに関連するカバレッジエンハンスメントレベルを特定する前記少なくとも１つのＵＥからのアップリンク送信を受信するステップであって、前記特定されたカバレッジエンハンスメントレベルは、前記第１のカバレッジエンハンスメントレベルより高い繰り返しレベルに関連する、受信するステップと、
前記特定されたカバレッジエンハンスメントレベルに基づき前記動作モードを更新するステップと、
を更に有する、請求項７記載の方法。
【請求項９】
前記ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、前記ブロードキャストメッセージは、システム情報メッセージ、ページングメッセージ又はランダムアクセスレスポンスメッセージを含む、請求項７又は８記載の方法。
【請求項１０】
前記ダウンリンク送信は、前記第１のカバレッジエンハンスメントレベルの１つ以上の識別子、又は前記ｅＮＢが前記動作モードにおいて動作する前記第１のカバレッジエンハンスメントレベルに関連する期間を含む、請求項７又は８記載の方法。
【請求項１１】
前記第２の繰り返しレベルは、２０デシベル（ｄＢ）までの最大カバレッジエンハンスメントレベルを実現するよう選択される、請求項７又は８記載の方法。
【請求項１２】
前記イベントは、予め設定された時間間隔又は予め設定された期間の少なくとも１つに基づく、請求項７又は８記載の方法。
【請求項１３】
進化型ノードＢ（ｅＮＢ）のプロセッサに、
前記ｅＮＢとの通信を確立したユーザ装置（ＵＥ）のための第１のカバレッジエンハンスメントレベル又は予め設定された最小カバレッジエンハンスメントレベルを提供するため、動作モードを開始するステップと、
イベントの検出に応答して、前記動作モードからディスカバリモードにスイッチするステップであって、前記ディスカバリモードは前記ｅＮＢとの通信を確立するＵＥのための第２のカバレッジエンハンスメントレベルを提供する、スイッチするステップと、
前記ｅＮＢが前記動作モードにある間は前記第１のカバレッジエンハンスメントレベルに関連する第１の繰り返しレベルで、また、前記ｅＮＢが前記ディスカバリモードにある間は前記第２のカバレッジエンハンスメントレベルに関連する第２の繰り返しレベルでダウンリンク送信を送信するステップと、
を実行させるためのプログラムであって、
前記動作モードは更に、前記ｅＮＢとの通信を確立した更なるＵＥに関連する１つ以上の更なるカバレッジエンハンスメントレベルを提供し、
前記プログラムは更に前記プロセッサに、
前記ｅＮＢが前記動作モードにある間は前記第１のカバレッジエンハンスメントレベルと前記１つ以上の更なるカバレッジエンハンスメントレベルとの間で定期的にスイッチするステップと、
前記ｅＮＢが前記動作モードにある間は前記１つ以上の更なるカバレッジエンハンスメントレベルにそれぞれ関連する１つ以上の更なる繰り返しレベルでダウンリンク送信を送信するステップと、
を実行させるプログラム。
【請求項１４】
前記プログラムは更に前記プロセッサに、
少なくとも１つのＵＥに関連するカバレッジエンハンスメントレベルを特定する前記少なくとも１つのＵＥからのアップリンク送信を受信するステップであって、前記特定されたカバレッジエンハンスメントレベルは、前記第１のカバレッジエンハンスメントレベルより高い繰り返しレベルに関連する、受信するステップと、
前記特定されたカバレッジエンハンスメントレベルに基づき前記動作モードを更新するステップと、
を実行させる、請求項１３記載のプログラム。
【請求項１５】
前記ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、前記ブロードキャストメッセージは、システム情報メッセージ、ページングメッセージ又はランダムアクセスレスポンスメッセージを含む、請求項１３又は１４記載のプログラム。
【請求項１６】
前記ダウンリンク送信は、前記第１のカバレッジエンハンスメントレベルの１つ以上の識別子、又は前記ｅＮＢが前記動作モードにおいて動作する前記第１のカバレッジエンハンスメントレベルに関連する期間を含む、請求項１３又は１４記載のプログラム。
【請求項１７】
前記第２の繰り返しレベルは、２０デシベル（ｄＢ）までの最大カバレッジエンハンスメントレベルを実現するよう選択される、請求項１３又は１４記載のプログラム。
【請求項１８】
前記イベントは、予め設定された時間間隔又は予め設定された期間の少なくとも１つに基づく、請求項１３又は１４記載のプログラム。
【請求項１９】
ユーザ装置（ＵＥ）であって、
進化型ノードＢ（ｅＮＢ）から、前記ｅＮＢがディスカバリモードにおいて動作するディスカバリ期間中にダウンリンク送信を受信する送受信回路であって、前記ダウンリンク送信は第１の繰り返しレベルに関連する第１のカバレッジエンハンスメントレベルを特定し、前記ダウンリンク送信は第２のカバレッジエンハンスメントレベルに関連する第２の繰り返しレベルで受信される、送受信回路と、
前記送受信回路に結合され、前記第１のカバレッジエンハンスメントレベルが前記ＵＥが前記ｅＮＢとの通信を確立するのに十分であるか判断する論理回路と、
を有し、
前記論理回路は更に、前記第１のカバレッジエンハンスメントレベルが前記ＵＥが前記ｅＮＢとの通信を確立するのに不十分であるという判定に応答して、前記ＵＥが前記ｅＮＢとの通信を確立するのを可能にするための前記ＵＥに関連する第３のカバレッジエンハンスメントレベルを示すアップリンク送信を前記送受信回路に送信させるＵＥ。
【請求項２０】
前記論理回路は更に、前記ディスカバリモードが始まる時間を決定する、請求項１９記載のＵＥ。
【請求項２１】
前記第２の繰り返しレベルは、２０デシベル（ｄＢ）までの最大カバレッジエンハンスメントレベルを実現する、請求項１９又は２０記載のＵＥ。
【請求項２２】
請求項１３乃至１８何れか一項記載のプログラムを記憶するためのコンピュータ可読記憶媒体。
【発明の詳細な説明】
【技術分野】
【０００１】
関連出願の相互参照
本出願は、本明細書と整合しないセクションを除き、存在する場合には全ての目的のため参照することによりその全体がここに援用される、２０１４年３月２４日に出願された米国仮出願第６１／９６９，７８４号“Ａ  ＦＥＥＤＢＡＣＫ−ＢＡＳＥＤ  ＭＥＣＨＡＮＩＳＭ  ＴＯ  ＯＰＴＩＭＩＺＥ  ＡＩＲ−ＩＮＴＥＲＦＡＣＥ  ＲＥＳＯＵＲＣＥＳ  ＦＯＲ  ＵＥＳ  ＲＥＱＵＩＲＩＮＧ  ＥＮＨＡＮＣＥＤ  ＣＯＶＥＲＡＧＥ”に対する優先権を主張する２０１４年１２月８日に出願された米国特許出願第１４／５６３，９２３号“ＴＥＣＨＮＩＱＵＥＳ  ＡＮＤ  ＣＯＮＦＩＧＵＲＡＴＩＯＮ  ＡＳＳＯＣＩＡＴＥＤ  ＷＩＴＨ  ＯＰＥＲＡＴＩＯＮ  ＯＦ  ＡＮ  ＥＶＯＬＶＥＤ  ＮＯＤＥ  Ｂ  ＡＴ  ＭＵＬＴＩＰＬＥ  ＣＯＶＥＲＡＧＥ  ＥＮＨＡＮＣＥＭＥＮＴ  ＬＥＶＥＬＳ”に対する優先権を主張する。
【０００２】
分野
本開示の実施例は、一般に無線通信の分野に関し、より詳細には、複数のカバレッジエンハンスメントレベルにおける進化型ノードＢ（ｅＮＢ）の動作に関する。
【背景技術】
【０００３】
ここに提供される背景の説明は、開示のコンテクストを一般に提示するためのものである。ここで特段の断りがない場合、本セクションにおいて説明される題材は、本出願における請求項に対する従来技術でなく、本セクションに含まれることによって従来技術であることを自認するものでない。
【０００４】
マシーンタイプ通信（ＭＴＣ）は、有望で新たな技術である。潜在的なＭＴＣベースアプリケーションは、スマートメータリング、健康モニタリング、リモートセキュリティサーベイランス、インテリジェント輸送システムなどを含む、これらのサービス及びアプリケーションは、ＬＴＥ及びＬＴＥ−Ａｄｖａｎｃｅｄなどの現在及び次世代のモバイルブロードバンドネットワークに統合される必要がある新たなタイプのＭＴＣデバイスの設計及び開発を促進する。
【０００５】
既存のモバイルブロードバンドネットワークは、主としてヒューマンタイプの通信に対するパフォーマンスを最適化することが図られており、ＭＴＣに固有の要求については最適化されていない。例えば、一部のＭＴＣデバイスは居住用の建物の地下に設置されうる。これらのデバイスは、通常のＬＴＥデバイスより無線インタフェース上で有意により大きな侵入損失を被るかもしれない。このようなＭＴＣデバイスの十分なカバレッジを提供するため、特別なカバレッジエンハンスメントの考慮が必要とされうる。
【図面の簡単な説明】
【０００６】
実施例は、添付した図面と共に以下の詳細な説明によって容易に理解されるであろう。本説明を容易にするため、同様の参照番号は同様の構成要素を示す。実施例は、添付した図面の図において限定することなく例示的に示される。
【図１】図１は、本開示の各種実施例による無線通信環境を概略的に示す。
【図２】図２は、複数のカバレッジエンハンスメントレベルにおける進化型ノードＢの動作を示すフローチャートである。
【図３】図３は、ここに説明されるカバレッジ制約されたＵＥがディスカバリモードの間に設定されるカバレッジエンハンスメントレベルを示すため、カバレッジ制約されたＵＥにより送信されうる一例となるアップリンク（ＵＬ）情報エレメント（ＩＥ）を示す。
【図４】図４は、ここに説明されるディスカバリモードの間のカバレッジ制約されたＵＥのカバレッジエンハンスメントレベルを示す既存のＲＲＣ（Ｒａｄｉｏ  Ｒｅｓｏｕｒｃｅ  Ｃｏｎｔｒｏｌ）メッセージに含まれる一例となるＩＥを示す。
【図５】図５は、ここに説明されるカバレッジ制約されたＵＥがディスカバリモードの間に設定されるカバレッジエンハンスメントレベルを示すため、カバレッジ制約されたＵＥにより送信されうるＩＥを搬送しうる新たなＲＲＣメッセージを示す具体例を示す。
【図６】図６は、ここに説明される各種実施例を実践するのに利用可能な一例となる計算装置のブロック図である。
【発明を実施するための形態】
【０００７】
以下の詳細な説明では、その一部を構成する添付図面が参照され、全体を通じて同様の数字が同様のパーツを示し、実施可能な実施例が例示的に示される。他の実施例が利用されてもよく、本開示の範囲から逸脱することなく構成的又は論理的変更が可能であることが理解されるべきである。
【０００８】
各種処理は、請求した主題を理解するのに最も有用な方式で、複数の離散的なアクション又は処理として説明されてもよい。しかしながら、説明の順序は、これらの処理が必ずしも順序に依存していることを意味するものとして解釈されるべきでない。特に、これらの処理は、提示の順序で実行されなくてもよい。説明される処理は、説明される実施例と異なる順序で実行されてもよい。更なる各種処理が実行され、及び／又は説明される処理は更なる実施例において省略されてもよい。
【０００９】
本開示の目的のため、“Ａ及び／又はＢ”というフレーズは、（Ａ）、（Ｂ）又は（Ａ及びＢ）を意味する。本開示の目的のため、“Ａ、Ｂ及び／又はＣ”というフレーズは、（Ａ）、（Ｂ）、（Ｃ）、（Ａ及びＢ）、（Ａ及びＣ）、（Ｂ及びＣ）又は（Ａ、Ｂ及びＣ）を意味する。説明は、それぞれが同一又は異なる実施例の１つ以上を参照しうる“実施例では”というフレーズを用いてもよい。さらに、本開示の実施例に関して使用される“有する”、“含む”などの用語は同義的である。
【００１０】
ここで用いられる“回路”という用語は、説明される機能を提供する１つ以上のソフトウェア又はファームウェアプログラム、組み合わせ論理回路及び／又は他の適切なハードウェアコンポーネントを実行するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、プロセッサ（共有、専用又はグループ）及び／又はメモリ（共有、専用又はグループ）を参照し、一部であり、又は含むものであってもよい。
【００１１】
上述されるように、ＭＴＣデバイス又はＭＴＣユーザ装置（ＵＥ）の十分なカバレッジを提供するため、特別なカバレッジエンハンスメント（ＣＥ）の考慮が必要とされうる。これらのカバレッジエンハンスメントは、各種物理通信チャネルの所望のカバレッジエンハンスメントレベルを含むものであってもよい。例えば、ある具体例では、物理ダウンリンク制御チャネル（ＰＤＣＣＨ）、物理アップリンク共有チャネル（ＰＵＳＣＨ）などの物理アップリンクチャネル及び物理ダウンリンクチャネルは、所望のカバレッジエンハンスメントレベル又は信号電力におけるデシベル（ｄＢ）ゲインを実現するよう構成されてもよい。
【００１２】
このようなカバレッジエンハンスメントレベルを提供する１つの方法は、以降において“信号ゲイン”として参照される所望の信号電力におけるｄＢゲインに達するため信号の繰り返しを通じたものである、所望の信号ゲインを実現するための繰り返し数は、以降において“繰り返しレベル（ｒｅｐｅｔｉｔｉｏｎ  ｌｅｖｅｌ）”として参照される。繰り返しレベルの個々の繰り返しは、所望の信号ゲインに対して信号を構成するよう機能し、各繰り返しは結果としての全体的な信号ゲインに寄与する。
【００１３】
これらの繰り返しは、無線ネットワークにおける多数のリソースを消費しうる。例えば、２０ｄＢの信号ゲインを実現するため、信号は１００以上の繰り返しレベルで繰り返される必要があり得る。しかしながら、無線ネットワークでは、必ずしも全てのＭＴＣ  ＵＥが最大繰り返しレベルに設定されなくてもよい。例えば、地下で運用されるＭＴＣ  ＵＥは、窓の側で運用されるＭＴＣ  ＵＥより高い繰り返しレベルに設定されてもよい。さらに、ある具体例では、無線ネットワークのアクセスポイント（進化型ノードＢ（ｅＮＢ）など）は、アクセスポイントの動作近接内にあるＭＴＣ  ＵＥを有さないかもしれない。ここで用いられるように、動作近接は、ＵＥ、ＭＴＣ  ＵＥ又はそれ以外が無線ネットワークへのアクセスのためアクセスポイントを利用するアクセスポイントからの近接を示す。他の具体例では、無線アクセスポイントは、最大サポートカバレッジエンハンスメントレベル未満であるカバレッジエンハンスメントレベルに設定される動作近接内にＭＴＣ  ＵＥしか有さないかもしれない。この結果、これらの具体例において最大サポートカバレッジエンハンスメントレベルでアクセスポイントを運用することは、アクセスポイントのリソースを不要に浪費させうる。しかしながら、最大サポートカバレッジエンハンスメントレベル未満であるカバレッジエンハンスメントレベルでアクセスポイントを運用することは、最大サポートカバレッジエンハンスメントレベル又は単に現在のカバレッジエンハンスメントレベルより高いカバレッジエンハンスメントレベルに設定されるＭＴＣデバイスが、アクセスポイントの動作近接内にＭＴＣ  ＵＥが移動する場合、アクセスポイントとの通信を確立することができることを阻止しうる。この結果、本開示の実施例では、アクセスポイントは、アクセスポイントとの通信を以前に確立したＭＴＣ  ＵＥの第１のカバレッジエンハンスメントレベルで動作するよう設計されてもよい。このような実施例では、アクセスポイントは、第１のカバレッジエンハンスメントレベルより高いカバレッジエンハンスメントレベルに設定されうる何れかのＭＴＣ  ＵＥの発見を可能にするため、最大サポートカバレッジエンハンスメントレベル又は他の選択されたカバレッジエンハンスメントレベルに定期的にスイッチするよう設計されてもよい。ここで用いられるようなより高いカバレッジエンハンスメントレベルはより大きな所望の信号ゲインを表し、例えば、２０ｄＢの信号ゲインに関連するカバレッジエンハンスメントレベルは、５ｄＢの信号ゲインに関連するカバレッジエンハンスメントレベルより高くなる。
【００１４】
図１は、各種実施例による無線通信環境１００を概略的に示す。環境１００は、進化型ノードＢ（ｅＮＢ）１０４などのアクセスポイントと無線通信するＵＥ１０８を有してもよい。ｅＮＢ１０４は、第三世代パートナシッププロジェクト（３ＧＰＰ）ロングタームエボリューション（ＬＴＥ）ネットワーク（又はＬＴＥ−Ａｄｖａｎｃｅｄ（ＬＴＥ−Ａ）ネットワーク）の一部であってもよい。特に、ｅＮＢ１０４は、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）などのＬＴＥ／ＬＴＥ−Ａネットワークの無線アクセスネットワーク（ＲＡＮ）の一部であってよい。Ｅ−ＵＴＲＡＮは、ＬＴＥ／ＬＴＥ−Ａネットワークの各種管理及び制御機能を実行し、各種ＲＡＮと他のネットワークとの間の通信インタフェースを更に提供するＥＰＣ（Ｅｖｏｌｖｅｄ  Ｐａｃｋｅｔ  Ｃｏｒｅ）などのコアネットワークに結合されてもよい。
【００１５】
ｅＮＢ１０４は、１つ以上のアンテナ１３０を介しＵＥ１０８からアップリンク送信を受信し、１つ以上のアンテナ１３０を介しＵＥ１０８へのダウンリンク送信を送信する送受信回路１２０を有してもよい。ｅＮＢ１０４はまた、送受信回路１２０に結合される論理回路１２８を有してもよい。実施例では、論理回路１２８は、ＵＥ１０８とｅＮＢ１０４との間で通信される信号により送信される情報を復号化及び符号化するよう構成される。論理回路１２８は更に、図２を参照して説明されるものなど、ここに説明されるカバレッジエンハンスメントレベル処理の何れかの部分をｅＮＢ１０４に実行させるようカバレッジエンハンスメントレベル（ＣＥＬ）回路１３２により構成されてもよい。
【００１６】
ＵＥ１０８は、送受信回路１４４、論理回路１５２及び１つ以上のアンテナ１５６を有する。送受信回路１４４は、ｅＮＢ１０４からダウンリンク送信を受信し、ｅＮＢ１０４にアップリンク送信を送信するため、１つ以上のアンテナ１５６と結合される。論理回路１５２は、送受信回路１４４に結合され、ＵＥ１０８とｅＮＢ１０４との間で通信される信号により送信される情報を復号化及び符号化するよう構成されてもよい。論理回路１５２は更に、図２を参照して説明されるものなど、ここに説明されるカバレッジエンハンスメントレベル処理の何れかの部分をＵＥ１０８に実行させるようＣＥＬ回路１５４により構成されてもよい。
【００１７】
図２は、本開示の各種実施例による複数のカバレッジエンハンスメントレベルでエンハンストカバレッジモード（ＥＣＭ）により運用される図１のｅＮＢ１０４などの進化型ノードＢ（ｅＮＢ）２０２の処理フロー２００を示すフローチャートである。実施例において、処理フロー２００は、ｅＮＢ２０２が動作モードを開始するブロック２０４において開始される。このような動作モードの実施例は、ボックス２０８において示される。
【００１８】
ブロック２１０において、このような動作モードは、例えば、図１の送受信回路１２０などを介し第１のカバレッジエンハンスメントレベルに関連する第１の繰り返しレベルでアップリンク／ダウンリンク（ＵＬ／ＤＬ）通信を提供してもよい。実施例では、第１のカバレッジエンハンスメントレベルは、ＵＥ１などのｅＮＢとの通信を以前に確立したＵＥに関連する最も高いカバレッジエンハンスメントレベルに対応するものであってもよい。一部の実施例では、ｅＮＢ２０２は、カバレッジエンハンスメントのレベルに設定される何れかのＵＥとの通信を依然として確立する必要があり得る。カバレッジエンハンスメントのレベルに対して設定されるＵＥはまた、カバレッジ制約されたＵＥとしてここでは参照される。これらの実施例では、第１のカバレッジエンハンスメントレベルは、ｅＮＢ２０２が提供するよう予め設定された最小カバレッジエンハンスメントレベルに対応してもよい。例えば、一部の実施例では、ｅＮＢ２０２は、後述されるように、より高いカバレッジエンハンスメントレベルがネゴシエートされるまで、１の繰り返しレベルに対応する０の信号ゲインに関連するカバレッジエンハンスメントレベルを提供するよう予め構成されてもよい。他の具体例では、ｅＮＢ２０２は、最大サポートカバレッジエンハンスメントレベルが関連する部分の信号ゲインに関連するカバレッジエンハンスメントレベルを提供するよう予め構成されてもよい。このような部分は、例えば、ｅＮＢ２０２が最も遭遇する可能性のあるカバレッジエンハンスメントレベルを網羅するよう選択されてもよい。例えば、最も高いサポートカバレッジエンハンスメントレベルが２０ｄＢ信号ゲインに対応するが、大多数の可能なＵＥが１０ｄＢ以下の信号ゲインに設定される場合、最小カバレッジエンハンスメントレベルは、１０ｄＢに予め設定されてもよい。
【００１９】
一部の実施例では、このような動作モードはまた、例えば、図１の送受信回路１２０などを介し１つ以上の追加的なカバレッジエンハンスメントレベルにそれぞれ関連する１つ以上の追加的な繰り返しレベルでＵＬ／ＤＬ通信を提供してもよい。これら１つ以上の追加的なカバレッジエンハンスメントレベルは、一部の実施例は、ｅＮＢ２０２との通信を確立した更なるＵＥに関連付けされてもよい。このような実施例では、ｅＮＢ２０２は、動作モードにある間、第１のカバレッジエンハンスメントレベルと１つ以上の更なるカバレッジエンハンスメントレベルとの間で定期的にスイッチするよう構成されてもよい。このような実施例では、第１のカバレッジエンハンスメントレベルから１つ以上の更なるカバレッジエンハンスメントレベルへのスイッチは、所定の時間又は所定の期間後など、イベントの発生に応答して行われてもよい。このような実施例では、更なるＵＥは、ｅＮＢ２０２が選択された最小カバレッジエンハンスメントレベル以上で運用されて間、ｅＮＢ２０２と通信するよう予め設定されてもよい。
【００２０】
一部の実施例では、ｅＮＢ２０２は、ｅＮＢが動作している現在のカバレッジエンハンスメントレベルの特定を含む、物理ダウンリンク共有チャネル（ＰＤＳＣＨ）送信に含まれるブロードキャストメッセージなどを介しシステム情報メッセージを提供するよう構成されてもよい。このようなシステム情報メッセージは、例えば、既存のシステム情報ブロック（ＳＩＢ）又はこの目的のために新たに規定されたＳＩＢなどに含まれてもよい。一部の実施例では、このようなシステム情報メッセージはまた、ｅＮＢ２０２が現在のカバレッジエンハンスメントレベルで動作を維持する現在のカバレッジエンハンスメントレベルに関連する期間を含むものであってもよい。システム情報メッセージが上述されたが、ＰＤＳＣＨにおける他のブロードキャストメッセージ送信はまた、限定することなく、ページングメッセージ又はランダムアクセスレスポンスメッセージを含む情報を搬送してもよい。
【００２１】
実施例では、ｅＮＢ２０２は、ブロック２０６において、定期的に動作モードからスイッチし、ディスカバリモードを開始してもよい。実施例では、ディスカバリモードでの運用中、ｅＮＢ２０２は最大予想カバレッジエンハンスメントレベルで動作するよう設計されてもよい。このような最大予想カバレッジエンハンスメントレベルは、例えば、予想されるワーストケースのカバレッジエンハンスメントレベルなどに基づき選択されてもよい。例えば、一部の実施例では、予想される最大カバレッジエンハンスメントレベルは、例えば、図１の送受信回路１２０などを介し最大予想カバレッジエンハンスメントレベルに関連する繰り返しレベルでアップリンク／ダウンリンク（ＵＬ／ＤＬ）通信を提供するよう図１のカバレッジエンハンスメントレベル（ＣＥＬ）回路１３２により構成されてもよい。
【００２２】
実施例では、動作モードからディスカバリモードへのスイッチは、所定の時間又は所定の期間後などのイベントの発生に応答して開始されてもよい。一部の実施例では、カバレッジ制約されたＵＥは、当該イベントが発生する時を判断するよう構成されてもよい。当該判定は、例えば、図１のＣＥＬ回路１５４などにより行われてもよい。例えば、ｅＮＢ２０２は、所定の時間間隔に基づきディスカバリモードを開始するよう設計され、所定の期間においてディスカバリモードで動作してもよい。例えば、ｅＮＢ２０２は、毎時の始めにディスカバリモードを開始し、５分間の期間の間はディスカバリモードで動作してもよい。このような具体例では、カバレッジ制約されたＵＥは、毎時最初の５分間、カバレッジ制約されたＵＥは、設定されたカバレッジエンハンスメントレベルに関わらず、ｅＮＢ２０２と通信可能であることを判断するよう構成されてもよい。この間隔及び期間は単なる例示であり、このような時間間隔及び期間は本開示の範囲から逸脱することなく利用されてもよいことが理解されるであろう。例示的なディスカバリモードの処理フローは、ボックス２０８に示される。
【００２３】
当該実施例において、ｅＮＢ２０２は、ディスカバリモードにおける動作中、ブロック２１４において、システム情報メッセージを送信するよう構成されてもよい。これらのシステム情報メッセージは、例えば、物理ダウンリンク共有チャネル（ＰＤＳＣＨ）送信を介し送信されてもよい。実施例では、これらのシステム情報メッセージは、ＣＥレベル情報を含むものであってもよい。このＣＥレベル情報は、動作モード中にｅＮＢ２０２によりサポートされる現在のカバレッジエンハンスメントレベル（第１のＣＥレベルなど）の識別子を含むものであってもよい。さらに、これらのサポートされているＣＥレベルのそれぞれの時間間隔及び／又は期間はまた、このようなＣＥレベル情報に含まれてもよい。一部の実施例では、このようなＣＥレベル情報は、例えば、タプルとしてフォーマット化されてもよく、タプルの第１の部分はカバレッジエンハンスメントレベルを特定し、タプルの第２の部分は特定されたカバレッジエンハンスメントレベルに関連する期間又は時間間隔を含む。当該システム情報メッセージは、例えば、既存のシステム情報ブロック（ＳＩＢ）又はこの目的のために新たに規定されたＳＩＢなどに含まれてもよく、例えば、最大予想カバレッジエンハンスメントレベルで図１の送受信回路１２０などを介し送信されてもよい。
【００２４】
例えば、ＵＥ２など、ｅＮＢ２０２との通信を依然として確立する必要がある全てのカバレッジ制約されたＵＥ又は少なくとも１つのカバレッジ制約されたＵＥは、ｅＮＢ２０２がディスカバリモードで運用されている間、ＣＥレベル情報についてｅＮＢ２０２からのダウンリンク送信をモニタするよう予め設定されてもよい。上述されたように、当該実施例では、カバレッジ制約されたＵＥは、例えば、設定されたカバレッジエンハンスメントレベルに関わらず、カバレッジ制約されたＵＥがダウンリンク送信を受信可能な所定の時間間隔及び期間により予め設定されてもよい。このような所定の時間間隔は、カバレッジ制約されたＵＥにハードコード化されてもよい。一部の実施例では、スリープ又は休眠モードなどの低電力モードで動作するカバレッジ制約されたＵＥは、上述したディスカバリモードのためウェイクアップされてもよい。
【００２５】
一部の実施例では、動作モード中にｅＮＢ２０２によりすでにサポートされているカバレッジエンハンスメントレベルに関連するカバレッジ制約されたＵＥは、ＣＥレベル情報を利用して、カバレッジ制約されたＵＥがｅＮＢ２０２との通信を確立可能な期間を決定してもよい。他の実施例では、動作モード中にｅＮＢ２０２によりサポートされるカバレッジエンハンスメントレベルは、カバレッジ制約されたＵＥが動作モード中にｅＮＢ２０２との通信を確立することを可能にするのに十分でないかもしれない。このような実施例では、カバレッジ制約されたＵＥであるＵＥ２は、ｅＮＢ２０２とのより高いカバレッジエンハンスメントレベルのサポートをネゴシエートしてもよい。このネゴシエーションは、ブロック２１６において開始され、カバレッジエンハンスメントレベルＵＥ２の識別子が設定され、ｅＮＢ２０２に送信される。このような送信は、例えば、アップリンク（ＵＬ）情報エレメント（ＩＥ）などにより送信されてもよい。このようなＩＥは、例えば、ＥＣＭ−ＣＥ−Ｌｅｖｅｌ−ｉｎｆｏなどと呼ばれ、図３、４及び５に示されるような後述される新たなＵＬ  ＲＲＣメッセージ又は既存のＵＬ  ＲＲＣメッセージによってＵＥ２からｅＮＢ２０２に送信されてもよい。
【００２６】
ブロック２１８において、ｅＮＢ２０２は、ブロック２１６において特定されたＣＥレベルに基づき動作モードを更新する。一部の実施例では、ｅＮＢ２０２は、動作モード中に単一のカバレッジエンハンスメントレベルを提供するよう構成されてもよい。このような実施例では、ｅＮＢ２０２は、動作モードのためにカバレッジエンハンスメントレベルを単に増加することによって動作モードを更新し、動作モードの期間中に当該カバレッジエンハンスメントレベルを維持してもよい。他の実施例では、ｅＮＢ２０２は、カバレッジエンハンスメントレベルの選択したものを提供するよう構成されてもよい。このような実施例では、ｅＮＢ２０２は、ブロック２１６においてＵＥ２により特定されたカバレッジエンハンスメントレベルに基づき、更なるカバレッジエンハンスメントレベルを含むよう動作モードを更新してもよい。
【００２７】
ブロック２２０において、ｅＮＢ２０２は、更新されたカバレッジエンハンスメントレベルを特定する他のシステム情報メッセージを送信する。このようなシステム情報メッセージは、例えば、ＰＤＳＣＨ送信などを介し送信されてもよい。一部の実施例では、当該システム情報メッセージは、上述されたＣＥレベル情報を含むものであってもよいが、ＣＥレベル情報は、更なるカバレッジエンハンスメントレベルを含むよう補正されてもよい。このようなシステム情報メッセージは、例えば、システム情報ブロック（ＳＩＢ）などに含まれてもよく、例えば、最大予想カバレッジエンハンスメントレベルにおいて図１の送受信回路１２０などを介し送信されてもよい。ディスカバリモードの期間は、上述したディスカバリモード処理フローがＵＬとＤＬとの双方の通信のための最大予想カバレッジエンハンスメントレベルで完了される必要がある時間量に基づき選択されてもよいことが理解されるであろう。また、上述した動作モード及びディスカバリモードはｅＮＢ２０２から利用可能な各周波数帯上で実行されてもよいことが理解されるであろう。例えば、上述した動作及びディスカバリモードは、ＬＴＥ環境における各ＬＴＥ周波数帯上で実行されてもよい。
【００２８】
図３は、上述したディスカバリモード中にカバレッジ制約されたＵＥが設定されるカバレッジエンハンスメントレベルを通知するため、カバレッジ制約されたＵＥにより送信される一例となるアップリンク（ＵＬ）情報エレメント（ＩＥ）３００を示す。図示されるように、ＩＥは、例えば、ＥＣＭ−ＣＥ−Ｌｅｖｅｌ−Ｉｎｆｏ３０２などとラベル付けされ、カバレッジ制約されたＵＥが設定されるカバレッジエンハンスメントレベルの識別子を含む変数ｅｃｍ−ｃｅ−ｌｅｖｅｌを有してもよい。一部の実施例では、このようなＩＥは、図４に示されるように、既存のＵＥＡｓｓｉｓｔａｎｃｅＩｎｆｏｒｍａｔｉｏｎ  ＲＲＣメッセージに含まれてもよい。他の実施例では、図５に示されるように、新規なアップリンク専用制御チャネルＲＲＣ（ＵＬ−ＤＣＣＨ  ＲＲＣ）メッセージが当該目的のために規定されてもよい。
【００２９】
図４は、ここに含まれる図３を参照して上述されたものなど、ＥＣＭ−ＣＥ−Ｌｅｖｅｌ−Ｉｎｆｏ  ＩＥ４０２を有する一例となるＵＥＡｓｓｉｓｔａｎｃｅＩｎｆｏｒｍａｔｉｏｎ  ＲＲＣメッセージ４００を示す。このＵＥＡｓｓｉｓｔａｎｃｅＩｎｆｏｒｍａｔｉｏｎメッセージ４００は、上述されたディスカバリモード中に所望のカバレッジエンハンスメントレベルを示すためカバレッジ制約されたＵＥにより送信されてもよい。
【００３０】
図５は、図３を参照して上述されたものなど、提案されたＥＣＭ−ＣＥ−Ｌｅｖｅｌ−Ｉｎｆｏ  ＩＥを搬送する新規なＵＬ−ＤＣＣＨ  ＲＲＣメッセージを示す具体例を示す。理解されるように、ｅｃｍＣｅＬｅｖｅｌＩｎｄｉｃａｔｉｏｎ−ｒｘｘ５０２は、ｍｅｓｓａｇｅＣｌａｓｓＥｘｔｅｎｓｉｏｎに含まれる。このとき、図３を参照して上述されたものなど、ｅｃｍ−Ｃｅ−Ｌｅｖｅｌ−Ｉｎｆｏ  ＩＥを含むＥＣＭＣｅＬｅｖｅｌＩｎｄｉｃａｔｉｏｎ−ｒｘｘが、ボックス５０４に示される。
【００３１】
図６は、一実施例について、図示されるように相互結合される無線周波数（ＲＦ）回路６０４、ベースバンド回路６０８、アプリケーション回路６１２、メモリ／ストレージ６１６、ディスプレイ６２０、カメラ６２４、センサ６２８及び入出力（Ｉ／Ｏ）インタフェース６３２を有する一例となるシステム６００を示す。
【００３２】
アプリケーション回路６１２は、限定されることなく、１つ以上のシングルコア又はマルチコアプロセッサなどの回路を含む。プロセッサは、汎用プロセッサ及び専用プロセッサ（例えば、グラフィクスプロセッサ、アプリケーションプロセッサなど）の何れかの組み合わせを含むものであってもよい。プロセッサは、メモリ／ストレージ６１６に結合され、システム６００上で実行される各種アプリケーション及び／又はオペレーティングシステムを可能にするため、メモリ／ストレージ６１６に記憶される命令を実行するよう構成されてもよい。
【００３３】
ベースバンド回路６０８は、限定することなく、１つ以上のシングルコア又はマルチコアプロセッサなどの回路を含む。プロセッサはベースバンドプロセッサを含むものであってもよい。ベースバンド回路６０８は、ＲＦ回路６０４を介し１つ以上の無線ネットワークとの通信を可能にする各種無線制御機能を処理する。無線制御機能は、限定することなく、信号変調、符号化、復号化、無線周波数シフト化などを含むものであってもよい。一部の実施例では、ベースバンド回路６０８は、１つ以上の無線技術に互換的な通信を提供してもよい。例えば、一部の実施例では、ベースバンド回路６０８は、Ｅ−ＵＴＲＡＮ及び／又は他のＷＭＡＮ（Ｗｉｒｅｌｅｓｓ  Ｍｅｔｒｏｐｏｌｉｔａｎ  Ａｒｅａ  Ｎｅｔｗｏｒｋ）、ＷＬＡＮ（Ｗｉｒｅｌｅｓｓ  Ｌｏｃａｌ  Ａｒｅａ  Ｎｅｔｗｏｒｋ）又はＷＰＡＮ（Ｗｉｒｅｌｅｓｓ  Ｐｅｒｓｏｎａｌ  Ａｒｅａ  Ｎｅｔｗｏｒｋ）との通信をサポートしてもよい。ベースバンド回路６０８が複数の無線プロトコルの無線通信をサポートするよう構成される実施例は、マルチコアベースバンド回路と参照される。
【００３４】
各種実施例では、ベースバンド回路６０８は、ベースバンド周波数にあるとして厳密にはみなされない信号により動作する回路を有してもよい。例えば、一部の実施例では、ベースバンド回路６０８は、ベースバンド周波数と無線周波数との間の中間周波数を有する信号により動作する回路を有してもよい。
【００３５】
一部の実施例では、送受信回路１１２及び／又は論理回路１５２は、アプリケーション回路６１２及び／又はベースバンド回路６０８に実現されてもよい。
【００３６】
ＲＦ回路６０４は、非固体媒体を介し変調された電磁放射を用いて無線ネットワークとの通信を可能にしてもよい。各種実施例では、ＲＦ回路６０４は、無線ネットワークとの通信を実現するためのスイッチ、フィルタ、アンプなどを有してもよい。
【００３７】
各種実施例では、ＲＦ回路６０４は、無線周波数にあるとは厳密にはみなされない信号により動作する回路を有してもよい。例えば、一部の実施例では、ＲＦ回路６０４は、ベースバンド周波数と無線周波数との間の中間周波数を有する信号により動作する回路を有してもよい。
【００３８】
一部の実施例では、無線送受信機１４４は、ＲＦ回路６０４に実現されてもよい。
【００３９】
一部の実施例では、ベースバンド回路６０８、アプリケーション回路６１２及び／又はメモリ／ストレージ６１６の構成要素の一部又は全ては、システムオンチップ（ＳＯＣ）上に一緒に実現されてもよい。
【００４０】
メモリ／ストレージ６１６は、ここに説明されたカバレッジエンハンスメント処理の何れかの部分をシステム６００に実行させるよう構成されるＣＥＬ命令６１０などの命令及び／又はデータをロード及び記憶するのに利用される。メモリ／ストレージ６１６は、一実施例では、適切な揮発性メモリ（例えば、ＤＲＡＭ（Ｄｙｎａｍｉｃ  Ｒａｎｄｏｍ  Ａｃｃｅｓｓ  Ｍｅｍｏｒｙ）など）及び／又は不揮発性メモリ（例えば、フラッシュメモリなど）の何れかの組み合わせを含むものであってもよい。
【００４１】
各種実施例では、Ｉ／Ｏインタフェース６３２は、システム６００とのユーザインタラクションを可能にするよう設計された１つ以上のユーザインタフェース及び／又はシステム６００との周辺コンポーネントのインタラクションを可能にするよう設計された周辺コンポーネントインタフェースを有してもよい。ユーザインタフェースは、限定することなく、物理的キーボード又はキーパッド、タッチパッド、スピーカ、マイクロフォンなどを含むものであってもよい。周辺コンポーネントインタフェースは、限定することなく、不揮発性メモリポート、ＵＳＢ（Ｕｎｉｖｅｒｓａｌ  Ｓｅｒｉａｌ  Ｂｕｓ）ポート、オーディオジャック及び電源インタフェースを含むものであってもよい。
【００４２】
各種実施例では、センサ６２８は、システム６００に関連する環境状態及び／又は位置情報を決定するための１つ以上の検知デバイスを有してもよい。一部の実施例では、センサは、限定することなく、ジャイロセンサ、加速度計、近接センサ、周辺光センサ及び測位ユニットを有してもよい。測位ユニットはまた、ＧＰＳ（Ｇｌｏｂａｌ  Ｐｏｓｉｔｉｏｎｉｎｇ  Ｓｙｓｔｅｍ）衛星などの測位ネットワークのコンポーネントと通信するため、ベースバンド回路６０８及び／又はＲＦ回路６０４の一部であってもよいし、あるいはやりとりしてもよい。
【００４３】
各種実施例では、ディスプレイ６２０は、ディスプレイ（例えば、液晶ディスプレイ、タッチ画面ディスプレイなど）を含むものであってもよい。
【００４４】
各種実施例では、システム６００は、限定することなく、ラップトップ計算デバイス、タブレット計算デバイス、ネットブック、ウルトラブック、スマートフォンなどのモバイル計算デバイスであってもよい。各種実施例では、システム６００はより多く又はより少ないコンポーネント及び／又は異なるアーキテクチャを有してもよい。
【００４５】
具体例
以下のパラグラフは、各種実施例の具体例を説明する。
【００４６】
具体例１は、進化型ノードＢ（ｅＮＢ）であって、ｅＮＢとの通信を確立したユーザ装置（ＵＥ）の第１のカバレッジエンハンスメントレベル又は予め設定された最小カバレッジエンハンスメントレベルを提供するため、ｅＮＢを動作モードで動作させ、ｅＮＢに動作モードからディスカバリモードに定期的にスイッチさせる論理回路であって、ディスカバリモードはｅＮＢとの通信を確立するＵＥの第２のカバレッジエンハンスメントレベルを提供する、論理回路と、ｅＮＢが動作モードにある間は第１のカバレッジエンハンスメントレベルに関連する第１の繰り返しレベルで、また、ｅＮＢがディスカバリモードにある間は第２のカバレッジエンハンスメントレベルに関連する第２の繰り返しレベルでダウンリンク送信を送信する送受信回路とを有するｅＮＢを含むものであってもよい。
【００４７】
具体例２は、具体例１の主題を含むものであってもよく、動作モードは更に、ｅＮＢとの通信を確立した更なるＵＥに関連する１つ以上の更なるカバレッジエンハンスメントレベルを提供し、論理回路は更に、ｅＮＢが動作モードにある間はｅＮＢに第１のカバレッジエンハンスメントレベルと１つ以上の更なるカバレッジエンハンスメントレベルとの間で定期的にスイッチさせ、送受信回路は更に、ｅＮＢが動作モードにある間は１つ以上の更なるカバレッジエンハンスメントレベルにそれぞれ関連する１つ以上の更なる繰り返しレベルでダウンリンク送信を送信する。
【００４８】
具体例３は、具体例１又は２の何れかの主題を含むものであってもよく、送受信回路は更に、少なくとも１つのＵＥに関連するカバレッジエンハンスメントレベルを特定する少なくとも１つのＵＥからのアップリンク送信を受信し、特定されたカバレッジエンハンスメントレベルは、第１のカバレッジエンハンスメントレベルより高い繰り返しレベルに関連し、論理回路は更に、特定されたカバレッジエンハンスメントレベルに基づき動作モードを更新する。
【００４９】
具体例４は、具体例１〜３の何れか１つの主題を含むものであってもよく、ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、ブロードキャストメッセージは、システム情報メッセージ、ページングメッセージ又はランダムアクセスレスポンスメッセージを含む。
【００５０】
具体例５は、具体例１〜４の何れか１つの主題を含むものであってもよく、ダウンリンク送信は、第１のカバレッジエンハンスメントレベルの１つ以上の識別子、又はｅＮＢが動作モードにおいて動作する第１のカバレッジエンハンスメントレベルに関連する期間を含む。
【００５１】
具体例６は、具体例１〜５の何れか１つの主題を含むものであってもよく、第２の繰り返しレベルは、２０デシベル（ｄＢ）までの最大カバレッジエンハンスメントレベルを実現するよう選択される。
【００５２】
具体例７は、具体例１〜６の何れか１つの主題を含むものであってもよく、ｅＮＢに動作モードからディスカバリモードに定期的にスイッチさせることは、予め設定された時間間隔又は予め設定された期間の少なくとも１つに基づく。
【００５３】
具体例８は、進化型ノードＢを動作させる方法であって、進化型ノードＢ（ｅＮＢ）が、ｅＮＢとの通信を確立したユーザ装置（ＵＥ）のための第１のカバレッジエンハンスメントレベル又は予め設定された最小カバレッジエンハンスメントレベルを提供するため、動作モードを開始するステップと、ｅＮＢが、イベントの検出に応答して、動作モードからディスカバリモードにスイッチするステップであって、ディスカバリモードはｅＮＢとの通信を確立するＵＥのための第２のカバレッジエンハンスメントレベルを提供する、スイッチするステップと、ｅＮＢが、ｅＮＢが動作モードにある間は第１のカバレッジエンハンスメントレベルに関連する第１の繰り返しレベルで、また、ｅＮＢがディスカバリモードにある間は第２のカバレッジエンハンスメントレベルに関連する第２の繰り返しレベルでダウンリンク送信を送信するステップとを有する方法を含むものであってもよい。
【００５４】
具体例９は、具体例８の主題を含むものであってもよく、動作モードは更に、ｅＮＢとの通信を確立した更なるＵＥに関連する１つ以上の更なるカバレッジエンハンスメントレベルを提供し、方法は更に、ｅＮＢが、ｅＮＢが動作モードにある間は第１のカバレッジエンハンスメントレベルと１つ以上の更なるカバレッジエンハンスメントレベルとの間で定期的にスイッチするステップと、ｅＮＢが、ｅＮＢが動作モードにある間は１つ以上の更なるカバレッジエンハンスメントレベルにそれぞれ関連する１つ以上の更なる繰り返しレベルでダウンリンク送信を送信するステップとを有する。
【００５５】
具体例１０は、具体例８又は９の何れかの主題を含むものであってもよく、ｅＮＢが、少なくとも１つのＵＥに関連するカバレッジエンハンスメントレベルを特定する少なくとも１つのＵＥからのアップリンク送信を受信するステップであって、特定されたカバレッジエンハンスメントレベルは、第１のカバレッジエンハンスメントレベルより高い繰り返しレベルに関連する、受信するステップと、特定されたカバレッジエンハンスメントレベルに基づき動作モードを更新するステップとを更に有する。
【００５６】
具体例１１は、具体例８〜１０の何れか１つの主題を含むものであってもよく、ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、ブロードキャストメッセージは、システム情報メッセージ、ページングメッセージ又はランダムアクセスレスポンスメッセージを含む。
【００５７】
具体例１２は、具体例８〜１１の何れか１つの主題を含むものであってもよく、ダウンリンク送信は、第１のカバレッジエンハンスメントレベルの１つ以上の識別子、又はｅＮＢが動作モードにおいて動作する第１のカバレッジエンハンスメントレベルに関連する期間を含む。
【００５８】
具体例１３は、具体例８〜１２の何れか１つの主題を含むものであってもよく、第２の繰り返しレベルは、２０デシベル（ｄＢ）までの最大カバレッジエンハンスメントレベルを実現するよう選択される。
【００５９】
具体例１４は、具体例８〜１３の何れか１つの主題を含むものであってもよく、イベントは、予め設定された時間間隔又は予め設定された期間の少なくとも１つに基づく。
【００６０】
具体例１５は、命令を記憶した１つ以上のコンピュータ可読な非一時的媒体を含むものであってもよく、当該命令は、進化型ノードＢ（ｅＮＢ）による実行に応答して、ｅＮＢとの通信を確立したユーザ装置（ＵＥ）のための第１のカバレッジエンハンスメントレベル又は予め設定された最小カバレッジエンハンスメントレベルを提供するため、動作モードを開始するステップと、イベントの検出に応答して、動作モードからディスカバリモードにスイッチするステップであって、ディスカバリモードはｅＮＢとの通信を確立するＵＥのための第２のカバレッジエンハンスメントレベルを提供する、スイッチするステップと、ｅＮＢが動作モードにある間は第１のカバレッジエンハンスメントレベルに関連する第１の繰り返しレベルで、また、ｅＮＢがディスカバリモードにある間は第２のカバレッジエンハンスメントレベルに関連する第２の繰り返しレベルでダウンリンク送信を送信するステップとをｅＮＢに実行させる。
【００６１】
具体例１６は、具体例１５の主題を含むものであってもよく、動作モードは更に、ｅＮＢとの通信を確立した更なるＵＥに関連する１つ以上の更なるカバレッジエンハンスメントレベルを提供し、ｅＮＢにより実行されると、命令は更にｅＮＢに、ｅＮＢが動作モードにある間は第１のカバレッジエンハンスメントレベルと１つ以上の更なるカバレッジエンハンスメントレベルとの間で定期的にスイッチするステップと、ｅＮＢが動作モードにある間は１つ以上の更なるカバレッジエンハンスメントレベルにそれぞれ関連する１つ以上の更なる繰り返しレベルでダウンリンク送信を送信するステップとを実行させる。
【００６２】
具体例１７は、具体例１５又は１６の何れかの主題を含むものであってもよく、ｅＮＢにより実行されると、命令は更にｅＮＢに、少なくとも１つのＵＥに関連するカバレッジエンハンスメントレベルを特定する少なくとも１つのＵＥからのアップリンク送信を受信するステップであって、特定されたカバレッジエンハンスメントレベルは、第１のカバレッジエンハンスメントレベルより高い繰り返しレベルに関連する、受信するステップと、特定されたカバレッジエンハンスメントレベルに基づき前記動作モードを更新するステップとを実行させる。
【００６３】
具体例１８は、具体例１５〜１７の何れか１つの主題を含むものであってもよく、ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、前記ブロードキャストメッセージは、システム情報メッセージ、ページングメッセージ又はランダムアクセスレスポンスメッセージを含む。
【００６４】
具体例１９は、具体例１５〜１８の何れか１つの主題を含むものであってもよく、ダウンリンク送信は、第１のカバレッジエンハンスメントレベルの１つ以上の識別子、又はｅＮＢが動作モードにおいて動作する期間を含む。
【００６５】
具体例２０は、具体例１５〜１９の何れか１つの主題を含むものであってもよく、第２の繰り返しレベルは、２０デシベル（ｄＢ）までの最大カバレッジエンハンスメントレベルを実現するよう選択される。
【００６６】
具体例２１は、具体例１５〜２０の何れか１つの主題を含むものであってもよく、イベントは、予め設定された時間間隔又は予め設定された期間の少なくとも１つに基づく。
【００６７】
具体例２２は、ユーザ装置（ＵＥ）であって、進化型ノードＢ（ｅＮＢ）から、ｅＮＢがディスカバリモードにおいて動作するディスカバリ期間中にダウンリンク送信を受信する送受信回路であって、ダウンリンク送信は第１の繰り返しレベルに関連する第１のカバレッジエンハンスメントレベルを特定し、ダウンリンク送信は第２のカバレッジエンハンスメントレベルに関連する第２の繰り返しレベルで受信される、送受信回路と、送受信回路に結合され、第１のカバレッジエンハンスメントレベルがＵＥがｅＮＢとの通信を確立するのに十分であるか判断する論理回路とを有するＵＥを含むものであってもよい。
【００６８】
具体例２３は、具体例２２のＵＥを含むものであってもよく、論理回路は更に、第１のカバレッジエンハンスメントレベルがＵＥがｅＮＢとの通信を確立するのに不十分であるという判定に応答して、ＵＥがｅＮＢとの通信を確立するのを可能にするためのＵＥに関連する第３のカバレッジエンハンスメントレベルを示すアップリンク送信を送受信回路に送信させる。
【００６９】
具体例２４は、具体例２２又は２３の何れかのＵＥを含むものであってもよく、論理回路は更に、ディスカバリ期間が始まる時間を決定する。
【００７０】
具体例２５は、具体例２２〜２４の何れか１つの主題を含むものであってもよく、第２の繰り返しレベルは、２０デシベル（ｄＢ）までの最大カバレッジエンハンスメントレベルを実現する。
【００７１】
具体例２６は、進化型ノードＢ（ｅＮＢ）であって、ｅＮＢとの通信を確立したユーザ装置（ＵＥ）のための第１のカバレッジエンハンスメントレベル又は予め設定された最小カバレッジエンハンスメントレベルを提供するため、動作モードを開始する手段と、イベントの検出に応答して、動作モードからディスカバリモードにスイッチする手段であって、ディスカバリモードはｅＮＢとの通信を確立するＵＥのための第２のカバレッジエンハンスメントレベルを提供する、スイッチする手段と、ｅＮＢが動作モードにある間は第１のカバレッジエンハンスメントレベルに関連する第１の繰り返しレベルで、また、ｅＮＢがディスカバリモードにある間は第２のカバレッジエンハンスメントレベルに関連する第２の繰り返しレベルでダウンリンク送信を送信する手段とを有するｅＮＢを含むものであってもよい。
【００７２】
具体例２７は、具体例２６の主題を含むものであってもよく、動作モードは更に、ｅＮＢとの通信を確立した更なるＵＥに関連する１つ以上の更なるカバレッジエンハンスメントレベルを提供し、ｅＮＢは更に、ｅＮＢが動作モードにある間は第１のカバレッジエンハンスメントレベルと１つ以上の更なるカバレッジエンハンスメントレベルとの間で定期的にスイッチする手段と、ｅＮＢが動作モードにある間は１つ以上の更なるカバレッジエンハンスメントレベルにそれぞれ関連する１つ以上の更なる繰り返しレベルでダウンリンク送信を送信する手段とを有する。
【００７３】
具体例２８は、具体例２６又は２７の何れかの主題を含むものであってもよく、少なくとも１つのＵＥに関連するカバレッジエンハンスメントレベルを特定する少なくとも１つのＵＥからのアップリンク送信を受信する手段であって、特定されたカバレッジエンハンスメントレベルは、第１のカバレッジエンハンスメントレベルより高い繰り返しレベルに関連する、受信する手段と、特定されたカバレッジエンハンスメントレベルに基づき動作モードを更新する手段とを更に有する。
【００７４】
具体例２９は、具体例２６〜２８の何れか１つの主題を含むものであってもよく、ダウンリンク送信は、物理ダウンリンク制御チャネル（ＰＤＣＣＨ）送信又は物理ダウンリンク共有チャネル（ＰＤＳＣＨ）送信を介し送信されるブロードキャストメッセージを含み、ブロードキャストメッセージは、システム情報メッセージ、ページングメッセージ又はランダムアクセスレスポンスメッセージを含む。
【００７５】
具体例３０は、具体例２６〜２９の何れか１つの主題を含むものであってもよく、ダウンリンク送信は、第１のカバレッジエンハンスメントレベルの１つ以上の識別子、又はｅＮＢが動作モードにおいて動作する第１のカバレッジエンハンスメントレベルに関連する期間を含む。
【００７６】
具体例３１は、具体例２６〜３０の何れか１つの主題を含むものであってもよく、第２の繰り返しレベルは、２０デシベル（ｄＢ）までの最大カバレッジエンハンスメントレベルを実現するよう選択される。
【００７７】
具体例３２は、具体例２６〜３１の何れか１つの主題を含むものであってもよく、イベントは、予め設定された時間間隔又は予め設定された期間の少なくとも１つに基づく。
【００７８】
要約に記載されたものを含む説明された実現形態のここでの説明は、包括的なものであるか、又は本開示を開示された正確な形態に限定することを意図するものでない。特定の実現形態及び具体例は例示的な目的のためここで説明されるが、当業者が認識するように、各種の等価な修正は本開示の範囲内で可能である。これらの修正は上記の詳細な説明に関して本開示に行われてもよい。
【図１】
0006382335.tif 000002
【図２】
0006382335.tif 000003
【図３】
0006382335.tif 000004
【図４】
0006382335.tif 000005
【図５】
0006382335.tif 000006
【図６】
0006382335.tif 000007